(57)【特許請求の範囲】
【請求項１】
筒状の胴部(4)の上端から肩部(3)を介して口筒部(2)を起立設し、外殻を形成する外層(11)と、該外層(11)に剥離自在に積層し、萎み変形可能に内袋体(12a)を形成する内層(12)とを、２種類の合成樹脂材料を共押出したブロー成形法により形成した合成樹脂製ブロー成形壜体であって、
前記外層(11)の所定位置に、該外層(11)と内層(12)との層間に外部空気を導入するための吸気孔(21)を開設し、前記胴部(4)から底部(5)にかけての形状を平断面形状が前後方向に扁平化した扁平筒状とし、前記底部(5)の形状を下方に向かって膨出する湾曲面形状にすると共に、胴部(4)の所定高さ位置から底部(5)にかけての領域で、扁平状の平断面形状の長径及び短径を前記胴部(4)の所定高さ位置から底部(5)に向けて緩やかに縮径する構成としたことを特徴とする合成樹脂製ブロー成形壜体。
【請求項２】
口筒部(2)の外層部分に吸気孔(21)を開設した請求項１記載の合成樹脂製ブロー成形壜体。
【請求項３】
口筒部(2)の外層部分に底シール部(22)を底割れ状として、底シール部(22)において外層(11)と内層(12)の間に間隙を形成し、該間隙を吸気孔(21)とした請求項１記載の合成樹脂製ブロー成形壜体。
【請求項４】
口筒部(2)に逆止弁機能を有する注出キャップ(31)を組付けると共に、外装体を装着し、注出容器のレフィル容器として使用する請求項１、２または３記載の合成樹脂製ブロー成形壜体。
【発明の詳細な説明】
【技術分野】
【０００１】
本発明は、外殻を形成する外層と、この外層に剥離自在に積層し、萎み変形可能に内袋体を形成する内層とから成る合成樹脂製ブロー成形壜体、所謂、デラミボトルに関する。
【背景技術】
【０００２】
特許文献１には、デラミボトルの口筒部に注出キャップを配設したスクイズタイプの注出容器についての記載がある。
図５、６はこの種の注出容器の一例を示すもので、図５（ａ）は半縦断側面図、図５（ｂ）は底部近傍の斜視図、図６は図５中のＣ−Ｃ線に沿った平断面図であり、壜体１０１（デラミボトル）の口筒部１０２に逆止弁を備えた注出キャップ３１を配設したものである。
この壜体１０１は口筒部１０２、肩部１０３、胴部１０４、底部１０５を有し、外殻を形成する外層１１１と、この外層に剥離自在に積層し、萎み変形可能に内袋体１１２ａを形成する内層１１２から構成されている。
また、図６に見られるように胴部１０４は円筒状である。
【０００３】
この注出容器はクリーム状の化粧料等の比較的粘度の高い内容液の注出に使用するもので、容器本体を手でスクイズ状に押圧して内容液を注出すると、吸気孔１２１から外層１１１と内層１１２の間に外部の空気が導入され、内層１１２は変形したままの形状を保持しつつ、外層１１１がその復元力により元の形状に復帰するようにしたもので、内容液をほぼ全量使い切ることができると共に、逆止弁の作用効果も相俟って、内袋体１１２ａ中に外部から空気が侵入しないように構成し、内容液の品質の低下を抑制することができる。
【０００４】
そして、図６中には使用途中における内層１１２の萎み変形の状態を例示している。このように一部で内層１１２が反転変形を伴いながら萎み変形し、相対抗して位置する内層１１２が部分的に密着状に合わさり、その他の部分で内容液Ｌの流路が確保される。
そして、内容液をほぼ使い切る段階では、内層１１２の萎み変形がさらに進行し、大部分で内層１１２が密着状に合わさり流路が閉塞した状態となる。
ここで、この種のデラミボトルでは上記のような内層１１２の萎み変形の態様を制御して、内容液の流動通路を最後まで確保して注出操作がスムーズ達成できるようにすると共に、内容液をほぼ最後まで使い切れるようにすることが重要な技術要素の一つである。
【先行技術文献】
【特許文献】
【０００５】
【特許文献１】特開２００３−７２８６４号公報
【発明の概要】
【発明が解決しようとする課題】
【０００６】
本願発明者らは、上記したようなデラミボトルに注出キャップを組み合せた注出容器が、内袋体中への外部からの空気の侵入を阻止して内容液の品質の低下を抑制することができると云う特徴を有することを利用し、この種の注出容器を比較的低粘度の液体を主成分とした内容物、特に食品調味料等の鮮度を要求される用途に使用展開しようとしている。
【０００７】
内容液の粘度が比較的低い場合には、クリーム等の比較的粘度の高い内容液の場合とは異なり、特に胴部をスクイズすることなく注出容器を正立姿勢から傾斜姿勢、あるいは倒立姿勢にすることにより内容液の自重で、自然落下により注出させる、と云うような従来この種の注出容器ではなかった新しい態様で使用することができる。
【０００８】
一方で上記のような新しい使用態様で、内容液の注出をスムーズに、かつ内容液がほぼ最後まで使い切れるようにするためには、内容液の注出に伴って、スクイズ等の外力によることなく、自然に、底部から胴部を経て肩部に向けて順次、スムーズに、図６に示したような内層の萎み変形が進行して行く必要がある。
【０００９】
しかし、図５、６に示したような従来の壜体１０１（デラミボトル）をそのまま上記した新しい態様で使用すると、底部１０５近傍での内層１１２の萎み変形の進行がスムーズに、また十分に進行せず、胴部１０４下端部近傍で内層１１２の萎み変形が先に進行して流路が塞がれてしまい、内容液が使いきれずに残留してしまうと云う問題がある。
【００１０】
そこで本発明は、合成樹脂製ブロー成形壜体であるデラミボトルにおいて、内容液の注出に伴う底部近傍での内層の萎み変形が外力を作用させなくてもスムーズにかつ十分に進行可能に壜体形状を構成することを技術的課題とするものである。
【課題を解決するための手段】
【００１１】
記技術的課題を解決する手段の内、本発明の主たる構成は、
筒状の胴部の上端から肩部を介して口筒部を起立設し、外殻を形成する外層と、外層に剥離自在に積層し、萎み変形可能に内袋体(12a)を形成する内層(12)とを、２種類の合成樹脂材料を共押出したブロー成形法により形成した合成樹脂製ブロー成形壜体であって、
外層の所定位置に、外層と内層との層間に外部空気を導入するための吸気孔を開設し、
胴部から底部にかけての形状を平断面形状が前後方向に扁平化した扁平筒状とし、
底部の形状を下方に向かって膨出する湾曲面形状にすると共に、
胴部の所定高さ位置から底部にかけての領域で、扁平状の平断面形状の長径及び短径を胴部の所定高さ位置から底部に向けて緩やかに縮径する構成とした、というものである。
なお、上記構成では、壜体の方向を規定するために平断面形状が扁平化している方向を便宜上前後方向としている。
【００１２】
本願発明者らは、図５、６で示した従来の壜体１０１の底部１０５における内層１１２の萎み変形の挙動を検討するなかで、底部１０５が、単純な筒状の胴部１０４とは異なり、図５（ｂ）に示されるように側周壁１０５ｐと底面壁１０５ｂから有底筒状に形成されていること、すなわち、ブロー成形品のため比較的厚肉で、側周壁１０５ｐに対して略垂直に形成される底面壁１０５ｂが障害となって、萎み変形において内層１１２の反転変形がスムーズに進展しないことが、底部１０５において萎み変形がスムーズにまた十分に進行しない主たる要因であることを見出し、この検討結果に基づき、上記構成を創出するに至った。
【００１３】
上記構成の壜体（デラミボトル）を、逆止弁付きの注出キャップと組み合せた注出容器の容器本体として使用した場合、
まず、胴部から底部にかけての形状を、平断面形状が前後方向に扁平化した扁平筒状とすることにより、内層の萎み変形を壜体の前後方向にさらに扁平化する変形態様に大まかに制御することができる。
すなわち、平断面形状でみると、当初、楕円状、長円状等に形成されている内層が、内容液の注出に伴い前後方向に反転変形を伴いながらさらに扁平化し、最終的には前後方向に二重に積層したような状態となる。
【００１４】
さらに、底部の形状を下方に向けて前後方向に扁平化した球弧殻状に膨出した形状とすることにより、
従来では前述したように側周壁と底面壁から構成されていた底部の形状を、謂わば、側周壁と底面壁の区別をなくし、胴部との境界から底部の下端（底面の中央部）に至るまで、その断面形状が縮径状に緩やかにスムーズに変化する形状とすることができ、
このような形状とすることにより、上記した前後方向に扁平化した扁平筒状とすることによる作用効果と相俟って、底部近傍における内層の萎み変形において内層の反転変形をスムーズに進展させることができ、内容液の注出に伴い、内層の萎み変形を、自然に、底部の下端から胴部を経て肩部に向けて順次、スムーズに進行させることができ、内容液の注出がスムーズに進行すると共に、内容液をほぼ全量使い切ることが可能となる。
なお、本発明の上記構成において、「球弧殻状」と云う形状には楕円球弧殻状、長円球弧殻状等の形状が含まれ、外観デザインや成形性も考慮して、適宜の膨出状の湾曲面形状を選択することができる。
【００１５】
本発明の他の構成は、上記主たる構成において、胴部の所定高さ位置から底部にかけての領域で、扁平状の平断面形状の長径及び短径を前記胴部の所定高さ位置から底部に向けて緩やかに縮径する構成とする、と云うものである。
【００１６】
上記構成により、内層の萎み変形を底部から胴部を経て肩部に向けて、順次、よりスムーズに進行させることができる。
【００１７】
本発明のさらに他の構成は、吸気孔の配設位置に係るものであり、上記主たる構成において、口筒部の外層部分に吸気孔を開設する、と云うものである。
ここで、吸気孔は、内層の萎み変形のし易さ、外観、２次加工のし易さやコストを考慮して、その配設位置や配設個数を適宜選択することができるが、上記、口筒部の外層部分に吸気孔を開設する構成によれば、口筒部への注出キャップの装着により外観状目立たないものとすることができ、また必要に応じて注出キャップにより、吸気孔に逆止弁機構を配設することができる。
【００１８】
本発明のさらに他の構成も、吸気孔の配設位置に係るものであり、ブロー成形時に底部の底面壁に形成される底シール部を底割れ状として、この底シール部において外層と内層の間に間隙を形成し、この間隙を吸気孔とする、と云うものである。
【００１９】
上記構成によれば、外層と内層が密着している底シール部に機械的な押圧力等を付加することにより底割れ状として、容易に吸気孔を形成することができる。
そして、底シール部を底割れ状とするので、ブロー成形の際にパリソンの底部に成形される部分を単に割金型で挟んで食い切り状にすればよく、金型コストを低減でき、また生産性を向上させることが可能となる。
また、底シール部での外層による拘束が解消して、底部近傍の内層の萎み変形をさらにスムーズに進行させることが可能となる。
【００２０】
本発明のさらに他の構成は、本発明の壜体の用途に係るものであり、記主たる構成において、口筒部に逆止弁機能を有する注出キャップを組付けると共に、外装体を装着し、注出容器のレフィル容器として使用すると云うものである。
【００２１】
上記構成において、本発明の壜体（デラミボトル）は、外層が比較的薄肉であっても内層の萎み変形を底部から胴部を経て肩部に向けて、順次、スムーズに進行させることができる、と云う特徴を有するものであり、この壜体をレフィル容器として利用して、良好な内容液の品質低下が抑制されると共に、良好な注出性を有し、さらに省資源化を実現した注出容器を提供することができる。
【発明の効果】
【００２２】
以下、本発明の実施の形態を実施例に沿って、図面を参照しながら説明する。
図１〜３は本発明によるデラミボトルである壜体の一実施例を示すもので、図１（ａ）、（ｂ）は縦断正面図と底部近傍の斜視図であり、図２は縦断側面図、図３（ａ）は図１中のＡ−Ａ線、（ｂ）はＢ−Ｂ線に沿って示す平断面図である。
なお、図２と図３（ａ）中に壜体１の前後左右方向を便宜上規定する符号Ｆ、Ｂ、Ｌ、Ｒを示している。
【図面の簡単な説明】
【００２３】
【図１】（ａ）は本発明の壜体の一実施例を縦断して示す正面図、（ｂ）は底部近傍の斜視図である。
【図２】図１に示した壜体の縦断側面図である。
【図３】（ａ）は図１中のＡ−Ａ線、（ｂ）はＢ−Ｂ線に沿って示す平断面図である。
【図４】（ａ）は図１中の底シール部における外層と内層の積層状態を示す断面図であり、（ｂ）は底シール部の底割れ状態を示す断面図である。
【図５】（ａ）はデラミボトルの従来例を示す半縦断側面図、（ｂ）は底部近傍の斜視図である。
【図６】図５中のＣ−Ｃ線に沿って示す平断面図である。
【発明を実施するための形態】
【００２４】
以下、本発明の実施の形態を実施例に沿って、図面を参照しながら説明する。
図１〜３は本発明によるデラミボトルである壜体の一実施例を示すもので、図１（ａ）、（ｂ）は縦断正面図と底部近傍の斜視図であり、図２は側面図、図３（ａ）は図１中のＡ−Ａ線、（ｂ）はＢ−Ｂ線に沿って示す平断面図である。
なお、図２と図３（ａ）中に壜体１の前後左右方向を便宜上規定する符号Ｆ、Ｂ、Ｌ、Ｒを示している。
【００２５】
この壜体１は、低密度ポリエチレン樹脂製で外殻を形成する外層１１と、ナイロン樹脂製で内袋体１２ａを形成する内層１２を共押出してブロー成形したものであり、口筒部２、テーパー筒状の肩部３、扁平筒状の胴部４と底部５を有する。本実施例では外層１１の胴部４における平均厚さは２８０ミクロン、内層１２の平均厚さは１００ミクロンである。
また、口筒部２の外層１１部分には外層１１と内層１２との層間に外部空気を導入するための吸気孔２１が開設されている。
また、ブロー成形時に底部５には底シール部２２が形成されている。
【００２６】
ここで、ブロー成形後、多くの場合、外層１１と内層１２は密着した状態にあるが、デラミボトルとして使用する場合には、内層１２の萎み変形がスムーズに進行するように、口筒部２からバキュームで内袋体１２ａ内を吸引して略全領域で、内層１２を外層１１から一端剥離しておくことが好ましい。
【００２７】
なお、図１、２では口筒部２にボール弁による逆止弁機構を配設した注出キャップ３１を螺合組付けした状態を記載しており、このように壜体１に注出キャップ３１を組付けて注出容器として使用することができる。
勿論、注出キャップ３１に配設される逆止弁機構はボール弁に限定されるものではなく、さまざまな形態の逆止弁機構を採用することができる。
【００２８】
また、胴部４から底部５にかけての形状は扁平筒状で、その平断面形状は図３に示すように略楕円状である。また、胴部４の上端位置（肩部３との境界位置）から底部５にかけての領域では、扁平状の平断面形状の長径及び短径を緩やかに縮径する形状としている。
【００２９】
そして、底部５は図１（ｂ）の斜視図に示すように、下方に向けて前後方向に扁平化した球弧殻状に膨出する形状としており、図１(ａ)の縦断正面図からも分かるように、正面側Ｆからみても底部５の下端が緩やかに下方に湾曲状に膨出した形状をしている。
【００３０】
この底部５の形状の特徴は、図５（ｂ）に示した従来例の壜体１０１の底部１０５と比較すると明確であり、図５（ｂ）に示される底部１０５が、側周壁１０５ｐとこの側周壁１０５ｐに略垂直状に形成される底面壁１０５ｂから有底筒状に形成されているのに対し、上記実施例の底部５は従来の壜体１０１の側周壁１０５ｐと底面壁１０５ｂの区別を無くし、底部５の形状を胴部４との境界から下端（底面の中央部）に至るまで、その断面形状が縮径状にスムーズに変化する形状としている。
【００３１】
次に、本実施例の壜体１の内袋体１２ａに水を満杯に充填した後、図１、２に示されるように、逆止弁機構を配設した注出キャップ３１を口筒部２に螺合組付けした注出容器を構成し、この注出容器を倒立姿勢に保持して、内容液である水の注出試験を実施した。
その結果、本実施例の壜体１では、底部５近傍における内層１２の萎み変形において内層１２の反転変形をスムーズに進展させることができ、水の注出に伴い、内層１２の萎み変形を、外力を作用させること無く、自然に、底部５の下端から胴部４を経て肩部３に向けて順次、図３（ａ）中に二点鎖線で示したような変形態様で、スムーズに進行させることができ、内容液の注出がスムーズに進行すると共に、内容液を口筒部２近傍に若干残留する分を除いて、ほぼ全量注出することができた。
【００３２】
上記試験における良好な注出結果は、
胴部４から底部５にかけての形状を扁平筒状とすること、
胴部４の上端位置から底部５にかけての領域でこの扁平筒の平断面形状の長径及び短径を緩やかに縮径する形状とすること、
そして底部５の形状を下方に向けて前後方向に扁平化した球弧殻状に膨出した形状とすることの作用効果が相俟って、実現できたものであるが、
特に、底部５の形状を下方に向けて前後方向に扁平化した球弧殻状に膨出した形状とすることにより、注出の初期段階で底部５近傍での内層１２の萎み変形に伴う反転変形をスムーズに進展させることができた。
【００３３】
ここで、本実施例の壜体１は外層１１の胴部４における平均厚さを２８０ミクロンとし、従来のデラミボトル比較して薄肉にし、付け替え容器、所謂、レフィル容器として使用できるようにしたものである。
従って、本実施例の壜体１を注出容器として使用する際には、図１、２に示されるように口筒部２に逆止弁機能を有する注出キャップ３１を着脱自在に組付き固定すると共に、容器の安定した自立姿勢を確保するため、比較的厚肉の外装体（図示省略）で外装して使用する。
そして、内容液を使い終わった段階で、注出キャップ３１と外装体は繰り返し使用し、新たに内容液を充填した壜体１を交換して使用する。
【００３４】
以上、実施例沿って本発明の合成樹脂製壜体とその作用効果について説明したが、本発明の実施の形態は上記実施例に限定されるものではない。たとえば、外層と内層の組み合わせについてはポリエチレン／ナイロンの組み合わせの他にも、両層の剥離性を考慮してさまざまな組み合せのものを採用することができる。
【００３５】
また、本実施例の壜体はレフィル容器としての利用を想定して胴部における外層の厚さを２８０ミクロン程度と、比較的薄肉としたが、使用目的や成形性等を考慮して厚肉にしたり、さらに薄肉としたりすることもできる。
また底部の膨出形状は、下方に向けて前後方向に扁平化した球弧殻状に膨出した形状と云う範疇のなかで、内層の萎み変形のし易さの他に、外観デザイン、そして成形性も考慮して、球弧殻状の湾曲面の湾曲の程度を変化させながら適宜選択ができるものである。
【００３６】
また、本実施例では吸気孔２１を口筒部２に形成する例を示したが、ブロー成形時に底部の底面に形成される底シール部２２を利用して吸気孔２１を形成することもできる。図４（ａ）は図２中、小さな円で囲った底シール部２２における外層１１と内層１２の積層状態を示す断面図である。
この底シール部２２を外部から押圧力を作用させる等により、外層１１が内層１２から剥離して、所謂、底割れ状態となり間隙を形成することができ、この間隙を利用して吸気孔２１とすることができる。
ここで、吸気孔２１の開設位置は適宜選択することができ、実施例のように口筒部２であっても、上記のように底部５底面であってもよい。さらに口筒部２と底部５底面の両方に開設してもよい。
【産業上の利用可能性】
【００３７】
以上説明したように、本発明のデラミボトルである合成樹脂製ブロー成形壜体は、内容液の注出に伴い外力によることなく底部近傍での内層の萎み変形がスムーズにかつ十分に進行可能に構成されたものであり、特に水等の低粘度の液体を主成分とする料理用調味料等の注出容器の容器本体として幅広い利用展開が期待できる。
【符号の説明】
【００３８】
１、１０１；壜体
２、１０２：口筒部
３、１０３；肩部
４、１０４；胴部
５、１０５；底部
１１、１１１；外層
１２、１１２；内層
１２ａ、１１２ａ；内袋体
２１；吸気孔
２２；シール部
３１；注出キャップ
Ｌ  ；内容液
【図１】
0005445931.tif 000002
【図２】
0005445931.tif 000003
【図３】
0005445931.tif 000004
【図４】
0005445931.tif 000005
【図５】
0005445931.tif 000006
【図６】
0005445931.tif 000007